【手続補正書】
【提出日】平成22年6月24日(2010.6.24)
【手続補正１】
【補正対象書類名】明細書
【補正対象項目名】発明の名称
【補正方法】変更
【補正の内容】
【発明の名称】ＶＡモードの液晶表示装置用光学補償シートおよび偏光板、並びにＶＡモードの液晶表示装置
【手続補正２】
【補正対象書類名】明細書
【補正対象項目名】０００１
【補正方法】変更
【補正の内容】
【０００１】
本発明は、セルロースエステルフイルムからなるＶＡモードの液晶表示装置用光学補償シートおよびそれを用いた偏光板、並びにＶＡモードの液晶表示装置に関する。
【手続補正３】
【補正対象書類名】明細書
【補正対象項目名】０００５
【補正方法】変更
【補正の内容】
【０００５】
本発明者は、光学補償シートにより液晶セルを光学的に補償して、かつその優れた表示特性を面内で均一に得るためには、光学補償シートに用いるセルロースエステルフイルムのレターデーション値の制御と、該セルロースエステルフイルムの延伸方向と遅相軸がなす角度（遅相軸角度）の標準偏差の制御が必要であることを見出した。
従って、本発明の目的は、下記（１）〜（６）のＶＡモードの液晶表示装置用光学補償シート、下記（７）のＶＡモードの液晶表示装置用偏光板および下記（８）、（９）のＶＡモードの液晶表示装置により達成された。
（１）セルロースエステルフイルムからなるＶＡモードの液晶表示装置用光学補償シートであって、セルロースエステルフイルムおよび光学補償シートのいずれも、下記式（Ｉ）により定義されるＲｅレターデーション値が２０乃至７０ｎｍの範囲にあり、そして、下記式（II）により定義されるＲthレターデーション値が７０乃至２４０ｎｍの範囲にあり、遅相軸角度の標準偏差が１．５°以下であることを特徴とするＶＡモードの液晶表示装置用光学補償シート：
（Ｉ）  Ｒｅ＝（ｎｘ−ｎｙ）×ｄ
（II）  Ｒth＝｛（ｎｘ＋ｎｙ）／２−ｎｚ｝×ｄ
［式中、ｎｘは、フイルム面内の遅相軸方向の屈折率であり；ｎｙは、フイルム面内の進相軸方向の屈折率であり；ｎｚは、フイルムの厚み方向の屈折率であり；そして、ｄは、フイルムの厚さである］。
【手続補正４】
【補正対象書類名】明細書
【補正対象項目名】０００６
【補正方法】変更
【補正の内容】
【０００６】
（２）セルロースエステルフイルムが少なくとも二つの芳香族環を有する芳香族化合物を含むことを特徴とする（１）に記載のＶＡモードの液晶表示装置用光学補償シート。
（３）セルロースエステル１００質量部に対して、少なくとも二つの芳香族環を有する芳香族化合物を０．０１乃至２０質量部含むことを特徴とする（２）に記載のＶＡモードの液晶表示装置用光学補償シート。
【手続補正５】
【補正対象書類名】明細書
【補正対象項目名】０００７
【補正方法】変更
【補正の内容】
【０００７】
（４）芳香族化合物が、少なくとも一つの１，３，５−トリアジン環を有する（２）に記載のＶＡモードの液晶表示装置用光学補償シート。
（５）セルロースエステルフイルムが、セルロースの混合脂肪酸エステルからなることを特徴とする（１）に記載のＶＡモードの液晶表示装置用光学補償シート。
（６）セルロースエステルフイルムが、セルロースアセテートプロピオネートからなることを特徴とする（１）に記載のＶＡモードの液晶表示装置用光学補償シート。
（７）偏光膜およびその両側に配置された二枚の透明保護膜からなる偏光板であって、透明保護膜の一方が（１）に記載の光学補償シートであり、さらに該光学補償シートの遅相軸の平均方向と偏光膜の透過軸のなす角度の絶対値が３°以下になるように配置されていることを特徴とするＶＡモードの液晶表示装置用偏光板。
【手続補正６】
【補正対象書類名】明細書
【補正対象項目名】０００８
【補正方法】変更
【補正の内容】
【０００８】
（８）ＶＡモードの液晶セルおよびその両側に配置された二枚の偏光板からなり、偏光板が偏光膜およびその両側に配置された二枚の透明保護膜からなる液晶表示装置であって、液晶セルと偏光膜との間に配置される二枚の透明保護膜の一方が、（１）に記載の光学補償シートであり、さらに該光学補償シートの遅相軸の平均方向と偏光膜の透過軸のなす角度の絶対値が３°以下になるように配置されていることを特徴とするＶＡモードの液晶表示装置。
【手続補正７】
【補正対象書類名】明細書
【補正対象項目名】０００９
【補正方法】変更
【補正の内容】
【０００９】
（９）ＶＡモードの液晶セルおよびその両側に配置された二枚の偏光板からなり、偏光板が偏光膜およびその両側に配置された二枚の透明保護膜からなる液晶表示装置であって、液晶セルと偏光膜との間に配置される二枚の透明保護膜が、それぞれ、（１）に記載の光学補償シートであり、さらに該光学補償シートの遅相軸の平均方向と該光学補償シートに隣接する偏光膜の透過軸のなす角度の絶対値の和が３°以下になるように配置されていることを特徴とするＶＡモードの液晶表示装置。
【手続補正８】
【補正対象書類名】明細書
【補正対象項目名】００１２
【補正方法】変更
【補正の内容】
【００１２】
偏光板の保護膜は、一般にセルロースアセテートフイルムからなる。上記のポリマーフイルム（セルロースエステルフイルム）を偏光板の一方の保護膜として用いると、偏光板の構成要素の数を増加することなく、偏光板に光学補償機能を追加するができる。
なお、ポリマーフイルムとして、酢化度が５９．０未満のセルロースアセテートを使用すると、上記の光学的異方性を容易に達成できるが、耐久性が低下する。本発明では、酢化度が５９．０乃至６１．５％であるセルロースアセテートを使用し、他の手段（上記の添加剤や製造条件の調節）で上記のレターデーション値を達成することにより、光学的異方性と耐久性との双方が優れたセルロースアセテートフイルムを得ている。
本発明の光学補償シートあるいは偏光板を用いることにより、液晶セルが光学的に補償され、そして液晶パネル面内で均一かつ優れた表示特性を有する液晶表示装置を得ることができる。
上記のポリマーフイルムのみからなる光学補償シートおよび上記のポリマーフイルムを保護膜として用いた偏光板は、ＶＡ（Vertically Aligned）型の液晶表示装置に、特に有利に用いることができる。
【手続補正９】
【補正対象書類名】明細書
【補正対象項目名】００１４
【補正方法】変更
【補正の内容】
【００１４】
本発明では、ポリマーフイルムのＲｅレターデーション値を２０乃至７０ｎｍであり、そして、Ｒthレターデーション値が７０乃至２４０ｎｍに調節する。
液晶表示装置に二枚の光学的異方性ポリマーフイルムを使用する場合、フイルムのＲthレターデーション値は７０乃至２００ｎｍであることが好ましい。
液晶表示装置に一枚の光学的異方性ポリマーフイルムを使用する場合、フイルムのＲthレターデーション値は１５０乃至２４０ｎｍであることが好ましい。
なお、ポリマーフイルムの複屈折率（Δｎ：ｎｘ−ｎｙ）は、０．０００２５乃至０．０００８８であることが好ましい。また、ポリマーフイルムの厚み方向の複屈折率｛（ｎｘ＋ｎｙ）／２−ｎｚ｝は、０．０００８８乃至０．００５であることが好ましい。
【手続補正１０】
【補正対象書類名】明細書
【補正対象項目名】００４４
【補正方法】変更
【補正の内容】
【００４４】
なお、実施例５、６、１９、２０は、参考例である。
（光学特性の測定）
作製したセルロースアセテートフイルム（光学補償シート）について、エリプソメーター（Ｍ−１５０、日本分光（株）製）を用いて、波長５５０ｎｍにおけるＲｅレターデーション値およびＲｔｈレターデーション値を測定した。また、自動複屈折計（ＫＯＢＲＡ−２１ＡＤＨ、王子計測機器（株））で軸ずれ角度を測定した。各々の測定は幅方向１０点で行い、平均値を求めた。遅相軸角度については標準偏差も求めた。
（熱伝導率の測定）
シートをＴＯ−３型ヒーターケースと銅板との間に挟み、シート厚みの１０％を圧縮した後、銅製ヒーターケースに電力５Ｗをかけて４分間保持し、銅製ヒーターケースと銅板との温度差を測定し、熱伝導率｛Ｗ／（ｍ・Ｋ）｝＝｛電力（Ｗ）×厚み（ｍ）｝／｛温度差（Ｋ）×測定面積（ｍ２）｝にて熱伝導率を算出した。
【手続補正１１】
【補正対象書類名】特許請求の範囲
【補正対象項目名】全文
【補正方法】変更
【補正の内容】
【特許請求の範囲】
【請求項１】
セルロースエステルフイルムからなるＶＡモードの液晶表示装置用光学補償シートであって、セルロースエステルフイルムおよび光学補償シートのいずれも、下記式（Ｉ）により定義されるＲｅレターデーション値が２０乃至７０ｎｍの範囲にあり、そして、下記式（II）により定義されるＲthレターデーション値が７０乃至２４０ｎｍの範囲にあり、遅相軸角度の標準偏差が１．５°以下であることを特徴とするＶＡモードの液晶表示装置用光学補償シート：
（Ｉ）  Ｒｅ＝（ｎｘ−ｎｙ）×ｄ
（II）  Ｒth＝｛（ｎｘ＋ｎｙ）／２−ｎｚ｝×ｄ
［式中、ｎｘは、フイルム面内の遅相軸方向の屈折率であり；ｎｙは、フイルム面内の進相軸方向の屈折率であり；ｎｚは、フイルムの厚み方向の屈折率であり；そして、ｄは、フイルムの厚さである］。
【請求項２】
セルロースエステルフイルムが少なくとも二つの芳香族環を有する芳香族化合物を含むことを特徴とする請求項１に記載のＶＡモードの液晶表示装置用光学補償シート。
【請求項３】
セルロースエステル１００質量部に対して、少なくとも二つの芳香族環を有する芳香族化合物を０．０１乃至２０質量部含むことを特徴とする請求項２に記載のＶＡモードの液晶表示装置用光学補償シート。
【請求項４】
芳香族化合物が、少なくとも一つの１，３，５−トリアジン環を有する請求項２に記載のＶＡモードの液晶表示装置用光学補償シート。
【請求項５】
セルロースエステルフイルムが、セルロースの混合脂肪酸エステルからなることを特徴とする請求項１に記載のＶＡモードの液晶表示装置用光学補償シート。
【請求項６】
セルロースエステルフイルムが、セルロースアセテートプロピオネートからなることを特徴とする請求項１に記載のＶＡモードの液晶表示装置用光学補償シート。
【請求項７】
偏光膜およびその両側に配置された二枚の透明保護膜からなる偏光板であって、透明保護膜の一方が請求項１に記載の光学補償シートであり、さらに該光学補償シートの遅相軸の平均方向と偏光膜の透過軸のなす角度の絶対値が３°以下になるように配置されていることを特徴とするＶＡモードの液晶表示装置用偏光板。
【請求項８】
ＶＡモードの液晶セルおよびその両側に配置された二枚の偏光板からなり、偏光板が偏光膜およびその両側に配置された二枚の透明保護膜からなる液晶表示装置であって、液晶セルと偏光膜との間に配置される二枚の透明保護膜の一方が、請求項１に記載の光学補償シートであり、さらに該光学補償シートの遅相軸の平均方向と偏光膜の透過軸のなす角度の絶対値が３°以下になるように配置されていることを特徴とするＶＡモードの液晶表示装置。
【請求項９】
ＶＡモードの液晶セルおよびその両側に配置された二枚の偏光板からなり、偏光板が偏光膜およびその両側に配置された二枚の透明保護膜からなる液晶表示装置であって、液晶セルと偏光膜との間に配置される二枚の透明保護膜が、それぞれ、請求項１に記載の光学補償シートであり、さらに該光学補償シートの遅相軸の平均方向と該光学補償シートに隣接する偏光膜の透過軸のなす角度の絶対値の和が３°以下になるように配置されていることを特徴とするＶＡモードの液晶表示装置。